(57)【要約】【目的】本考案は、ワイヤを強固に固定して、ワイヤの浮きや外れを防止して、ファンの信頼性を向上できるファン及び電気機械設備を提供する。【解決手段】前記ファンは、羽根車と、モータと、モータ支持部と、ワイヤと、ワイヤ引出部と、を含み、ワイヤ引出部は、ワイヤの引出方向に沿って延伸する基台部と、基台部の延伸方向に垂直な方向に沿って基台部から延伸し、中心軸と平行である、ワイヤの第一方向の移動を限定するワイヤ保持部と、ワイヤ保持部の端部に形成し、基台部の延伸方向に沿って延伸し、第一方向と基台部の延伸方向のいずれとも垂直である、ワイヤの第二方向の移動を限定するワイヤロック部と、を有し、ワイヤロック部は、基台部の延伸方向において、ワイヤ保持部を超えないストッパー部と、基台部の延伸方向に沿ってストッパー部からワイヤ保持部の外側まで延伸する延伸部と、を有する。【選択図】図３
2020084983.tif 000002
【特許請求の範囲】
【請求項１】
羽根車と、
中心軸を中心にして前記羽根車を駆動するモータと、
前記モータを支持するモータ支持部と、
外部電源から前記モータに電流を供給するワイヤと、
前記モータ支持部に形成され、前記ワイヤをガイドするワイヤ引出部と、を含むファンであって、
前記ワイヤ引出部は、
前記ワイヤの引出方向に沿って延伸する基台部と、
前記基台部の延伸方向に垂直な方向に沿って前記基台部から延伸し、前記中心軸と平行である、前記ワイヤの第一方向の移動を限定するワイヤ保持部と、
前記ワイヤ保持部の端部に形成し、前記基台部の延伸方向に沿って延伸し、前記第一方向と前記基台部の延伸方向のいずれとも垂直である、前記ワイヤの第二方向の移動を限定するワイヤロック部と、を有し、
前記ワイヤロック部は、前記基台部の延伸方向において、前記ワイヤ保持部を超えないストッパー部と、前記基台部の延伸方向に沿って前記ストッパー部から前記ワイヤ保持部の外側まで延伸する延伸部と、を有することを特徴とするファン。
【請求項２】
前記第一方向において、前記ワイヤロック部の厚さは、前記ワイヤ保持部の厚さと前記ワイヤの直径の和以上であることを特徴とする請求項１に記載のファン。
【請求項３】
前記延伸部の前記基台部に面する側と前記基台部との第一距離は、前記ストッパー部の前記基台部に面する側と前記基台部との第二距離より大きいことを特徴とする請求項１または２に記載のファン。
【請求項４】
前記延伸部の前記基台部に面する側は、第一方向において、前記ワイヤ保持部から離れた上端と前記ワイヤ保持部に近い下端を有し、
前記上端と前記基台部との距離は、前記下端と前記基台部との距離より大きいことを特徴とする請求項１〜３に記載のファン。
【請求項５】
前記ワイヤ保持部は、少なくとも、前記中心軸近くから前記中心軸から離れた方向に互いに分離して設けられる第一ワイヤ保持部、第二ワイヤ保持部及び第三ワイヤ保持部を含み、
前記基台部の延伸方向において、前記第二ワイヤ保持部と前記第三ワイヤ保持部の隙間は、前記ワイヤの直径の１．５倍より小さいことを特徴とする請求項１〜４に記載のファン。
【請求項６】
前記基台部の延伸方向において、
前記延伸部の前記中心軸から最も離れている端部は、前記第三ワイヤ保持部の前記中心軸に最も近い端部より前記中心軸から更に離れていることを特徴とする請求項５に記載のファン。
【請求項７】
前記第一ワイヤ保持部と前記第二ワイヤ保持部は、多角形であることを特徴とする請求項５または６に記載のファン。
【請求項８】
前記ワイヤ引出部と前記モータ支持部は、一体成型であることを特徴とする請求項１〜７に記載のファン。
【請求項９】
前記ワイヤ引出部は、樹脂製であることを特徴とする請求項１〜８に記載のファン。
【請求項１０】
前記第二方向において、前記第一ワイヤ保持部、前記第二ワイヤ保持部及び前記第三ワイヤ保持部の端部と前記基台部との距離は等しいことを特徴とする請求項５〜９に記載のファン。
【請求項１１】
請求項１〜１０のいずれかに記載のファンを有することを特徴とする電気機械設備。
【発明の詳細な説明】
【技術分野】
【０００１】
本願は、電気機械の分野に関し、特に、ファン及び電気機械設備に関する。
【背景技術】
【０００２】
ファンは、家電設備、オフィス自動化設備等に広く用いられ、ガス流動の促進に用いられる。
【０００３】
ファンは、ケース、羽根車、羽根車駆動用モータ、及びモータが給電するワイヤを含む。ワイヤの一端は、モータ内部の回路基板に接続し、ワイヤの他端は、ケースの外に引き出して、ケース外部の電源と電気的に接続する。
【０００４】
上記技術背景の紹介は、本実用新案の技術案を明確で完全に説明するためであり、当業者が理解し易いように述べたものである。これらの方案は、本実用新案の背景技術で説明しているに過ぎず、上記技術案が当業者の公知であると認定することはできない。
【発明の概要】
【発明が解決しようとする課題】
【０００５】
本願の発明者は、従来のファンのワイヤが、ケース外部に強固に保持されていない場合、容易に、ケースの端面から上昇して、緩んだ状態になることを発見した。また、幾つかの場合、ワイヤは、ワイヤガイド部の限定から外れて、容易に移動する状態になる可能性もある。緩んだワイヤやワイヤガイド部から外れたワイヤは、空気流路に巻き込まれて、ファンの羽根車に接触して、ファンの正常な運転に影響する可能性がある。
【課題を解決するための手段】
【０００６】
本願は、ファン及び電気機械設備を提供し、ワイヤロック部によってファンのワイヤの横方向の移動を限定しつつ、ワイヤロック部の延伸部によってワイヤの移動を更に限定する。これより、ワイヤを強固に固定して、ワイヤの浮きや外れを防止して、ファンの信頼性を向上することができる。
【０００７】
本願実施形態の１つの態樣によれば、羽根車と、中心軸を中心にして羽根車を駆動するモータと、モータを支持するモータ支持部と、外部電源からモータに電流を供給するワイヤと、モータ支持部に形成され、ワイヤをガイドするワイヤ引出部と、を含む。ワイヤ引出部は、ワイヤの引出方向に沿って延伸する基台部と、基台部の延伸方向に垂直な方向に沿って基台部から延伸し、中心軸と平行である、ワイヤの第一方向の移動を限定するワイヤ保持部と、ワイヤ保持部の端部に形成し、基台部の延伸方向に沿って延伸し、第一方向と基台部の延伸方向のいずれとも垂直である、ワイヤの第二方向の移動を限定するワイヤロック部と、を有し、ワイヤロック部は、基台部の延伸方向において、ワイヤ保持部を超えないストッパー部と、基台部の延伸方向に沿ってストッパー部からワイヤ保持部の外側まで延伸する延伸部を有するファンを提供する。
【発明の効果】
【０００８】
本発明の効果は、ワイヤロック部によってファンのワイヤの横方向の移動を限定しつつ、ワイヤロック部の延伸部によってワイヤの移動を更に限定し、これより、ワイヤを強固に固定して、ワイヤの浮きや外れを防止して、ファンの信頼性を向上できる。
【図面の簡単な説明】
【０００９】
【図１】本願実施形態１のファンの１つの立体概略図である。
【図２】本願実施形態１のファンの中心軸に沿った断面図である。
【図３】本願実施形態１のワイヤ引出部の１つの立体概略図である。
【図４】本願実施形態１のワイヤ引出部の上面図である。
【図５】その他の本願実施形態のワイヤ引出部の立体概略図である。
【図６】本願実施形態１のワイヤ引出部の１つの底面概略図である。
【発明を実施するための形態】
【００１０】
図面を参照して、以下の明細書を通して、本発明の上記及びその他の特徴は、明らかになる。明細書と図面において、本発明の特定の実施方式を具体的に公開し、本発明の原則を採用できる一部の実施方式を表しており、理解しなければならないのは、本発明は、記述する実施方式に限定せず、反対に、本発明は、添付の請求項の範囲内に入る全ての修正、変更及び均等のものを含む。
【００１１】
また、本発明の以下の説明では、モータの中心軸Ｃの方向を「軸方向」と称し、「軸方向」において、羽根車からモータ支持部１３を向く方向を「下」方向と称し、「下」方向の反対は、「上」方向であり、中心軸Ｃを中心とする半径方向を「径方向」と称し、中心軸Ｃ周りの方向を「周方向」と称する。
【００１２】
＜実施形態１＞
本願実施形態は、ファンを提供する。図１は、このファンの１つの立体概略図である。図２は、このファンの中心軸に沿った断面図である。
【００１３】
図１に示すように、ファン１は、羽根車１１と、モータ１２と、モータ支持部１３と、ワイヤ（図１、図２は不図示）と、ワイヤ引出部（図１、図２は不図示）とを含む。
【００１４】
本実施形態では、モータ１２は、中心軸Ｃを中心にして羽根車１１を駆動する。モータ支持部１３は、モータ１２を支持するのに用いる。ワイヤは、外部電源からモータ１２に電流を供給する。ワイヤ引出部は、ワイヤをガイドする。
【００１５】
図３は、ワイヤ引出部１５の１つの立体概略図である。図３に示すように、ワイヤ引出部１５は、モータ支持部１３に形成してもよい。
【００１６】
図３に示すように、ワイヤ引出部１５は、基台部１６と、ワイヤ保持部１７と、ワイヤロック部１８と、を含む。
【００１７】
本実施形態では、基台部１６は、ワイヤの引出方向Ｌに沿って延伸する。ワイヤ保持部１７は、基台部１６の延伸方向Ｄに垂直な方向Ｓに沿って基台部１６から延伸し、ワイヤ保持部１７は、ワイヤの第一方向の移動を制限し、第一方向Ｘと中心軸Ｃは平行であり、方向Ｄと方向Ｌは平行である。ワイヤロック部１８は、ワイヤ保持部１７の基台部１６から離れた端部に形成し、基台部１６の延伸方向Ｌに沿って延伸し、ワイヤロック部１８は、ワイヤの第二方向Ｙの移動を制限することができる。この第二方向Ｙは、第一方向Ｘと基台部１６の延伸方向Ｄのいずれとも垂直であり、第二方向Ｙと方向Ｓは平行である。
【００１８】
本実施形態では、ワイヤロック部１８は、ストッパー部１８１と延伸部１８２を有する。ストッパー部１８１は、基台部１６の延伸方向Ｄにおいて、ワイヤ保持部１７を超えず、延伸部１８２は、基台部１６の延伸方向Ｄに沿ってストッパー部１８１からワイヤ保持部１７の外側まで延伸する。
【００１９】
図４は、ワイヤ引出部１５の上面図である。図４に示すように、ワイヤロック部１８の延伸部１８２は、ワイヤ保持部１７の異なる部分（例えば、後述の第二保持部１７２と第三保持部１７３）の間のスロットＦを延伸方向において、ワイヤの移動範囲をスロットＦの範囲内に制限して（即ち、ワイヤが延伸部１８２に引っ掛かる）、ワイヤがスロットＦを介してワイヤ引出部１５からはずれるのを抑制する。これより、ワイヤがファンの正常運転を妨害するのを抑制する。
【００２０】
本実施形態では、図３に示すように、第一方向Ｘにおいて、ワイヤロック部１８の厚さｘ１は、ワイヤ保持部１７の厚さｘ２より大きい。これより、ワイヤロック部１８とワイヤ保持部１７の間に段差を形成して、ワイヤの第二方向Ｙの移動を制限できる。１つの実施方式では、ワイヤロック部１８の厚さは、ワイヤ保持部１７の厚さとワイヤの直径の和以上であり、例えば、ワイヤロック部１８の厚さは、ワイヤ保持部１７の厚さの２倍以上であってもよい。
【００２１】
本実施形態では、図４に示すように、延伸部１８２の基台部１６に面する側と基台部１６との第一距離ｙ１は、ストッパー部１８１の基台部１６に面する側と基台部１６との第二距離ｙ２より大きい。これより、第二方向Ｙにおいて、ストッパー部１８１と延伸部１８２の間に段差を形成して、延伸部１８２と隣接するワイヤ保持部１７のその他の部分との間で干渉するのを抑制できる。
【００２２】
図５は、ワイヤ引出部１５の別の立体概略図である。図５に示すように、延伸部１８２の基台部１６に面する側１８２ｓは、第一方向Ｘにおいて、ワイヤ保持部１７から離れた上端１８２１とワイヤ保持部１７に近い下端１８２２を有する。上端１８２１と基台部１６との距離ｙ３は、下端１８２２と基台部１６との距離ｙ４より大きい。すなわち、延伸部１８２の基台部１６に面する側１８２ｓは、軸方向上から下に向かうにつれて基台部１６に近づく。これにより、ワイヤは、上端１８２１から下端１８２２の方向に沿ってスロットＦに入り、このスロットＦから浮いたり外れたりすることを抑制できる。例えば、延伸部１８２の基台部１６に面する側１８２ｓの表面形状は、斜面、曲面、又は斜面と曲面を組み合わせた形状であってもよい。
【００２３】
図３、図４、図５に示すように、ワイヤ保持部１７は、少なくとも、中心軸近くから中心軸から離れた方向に互いに分離して設けられる第一ワイヤ保持部１７１、第二ワイヤ保持部１７２及び第三ワイヤ保持部１７３を含んでもよい。図３に示すように、第一ワイヤ保持部１７１と第三ワイヤ保持部１７３は、ワイヤが第一方向Ｘの一方の側（例えば、上側か下側）に位置してもよく、第二ワイヤ保持部１７２は、ワイヤ在第一方向Ｘの他方の側（例えば、下側か上側）に位置してもよく、これより、第一ワイヤ保持部１７１、第二ワイヤ保持部１７２及び第三ワイヤ保持部１７３は、第一方向Ｘの両側でワイヤを挟持して、ワイヤのこの第一方向Ｘの移動を制限できる。
【００２４】
本実施形態では、ワイヤロック部１８は、第二ワイヤ保持部１７２に設置され、且つ、延伸部１８２は、第三ワイヤ保持部１７３に延伸してもよい。更に、本実施形態はこれに限定しなくてもよい。例えば、延伸部１８２は、第一ワイヤ保持部１７１に延伸してもよい。または、ワイヤロック部１８は、第一ワイヤ保持部１７１に設置され、且つ、延伸部１８２は、第二ワイヤ保持部１７２に延伸してもよい。
【００２５】
図４に示すように、基台部１６の延伸方向Ｄにおいて、第二ワイヤ保持部１７２と第三ワイヤ保持部１７３の隙間ｄ１は、ワイヤの直径の１．５倍より小さい。これより、ワイヤは、スロットＦ内の移動範囲が限定され、ワイヤがワイヤロック部１８から浮いたり外れたりするのを防止する。
【００２６】
本実施形態では、図４に示すように、基台部１６の延伸方向Ｄにおいて、延伸部１８２の中心軸Ｃから最も離れている端部１８２３は、第三ワイヤ保持部１７３の中心軸に最も近い端部１７３１より中心軸Ｃから更に離れている。これより、スロットＦの第二方向Ｙに面する開口は、延伸部１８２によって完全に遮断されて、ワイヤがスロットＦから外れるのを更に防止する。
【００２７】
本実施形態では、図４に示すように、第一ワイヤ保持部１７１と第二ワイヤ保持部１７２は、多角形であってもよく、これより、第一ワイヤ保持部１７１と第二ワイヤ保持部１７２が占用するスペースを削減できる。
【００２８】
図６は、ワイヤ引出部１５の１つの底面概略図である。図６に示すように、第二方向Ｙにおいて、第一ワイヤ保持部１７１、第二ワイヤ保持部１７２及び第三ワイヤ保持部１７３の端部１７１ａ、１７２ａ、１７３ａと基台部１６との距離ｙａ１、ｙａ２、ｙａ３は等しい。これより、ワイヤ保持部のスペースを削減できる。
【００２９】
また、図３、図５、図６に示すように、第二方向Ｙにおいて、第一ワイヤ保持部１７１と第三ワイヤ保持部１７３の端部は、下側に延伸する突起部１７１ｂと１７３ｂ（図３は不図示）を更に設置してもよく、突起部１７１ｂと１７３ｂもワイヤの第二方向Ｙにおける移動を制限するのに用いることができる。
【００３０】
本実施形態では、ワイヤ引出部１５とモータ支持部１３は、一体成型であってもよい。これより、生産工程を簡略化できる。
【００３１】
本実施形態では、ワイヤ引出部１５は、樹脂製であってもよく、これより、コスト削減してもよい。
【００３２】
本実施形態のファンのワイヤロック部１８は、ファンのワイヤの横方向（即ち、第二方向）の移動を限定しつつ、ワイヤロック部１８の延伸部１８２によってワイヤの移動を更に制限し、これより、ワイヤを強固に固定して、ワイヤの浮きや外れを防止して、ファンの信頼性を向上できる。
【００３３】
＜実施形態２＞
本発明の実施形態２は、実施形態１に記載のファンを有する電気機械設備を提供する。実施形態１は、このファンの構造を詳細に説明済みであることから、その内容は、説明を省略する。
【００３４】
本実施形態によれば、このファンは、ワイヤロック部によってファンのワイヤの横方向（即ち、第二方向）の移動を限定しつつ、ワイヤロック部の延伸部によってワイヤの移動を更に限定する。これより、ワイヤを強固に固定して、ワイヤの浮きや外れを防止することができ、ファンの信頼性を向上できる。更に、この電気機械設備の信頼性を向上させる。
【００３５】
以上、具体的な実施方式を結合して、本発明を記載したが、当業者は、これらはいずれも例示的なものであり、本発明の保護範囲を限定するものではない。当業者は、本発明に基づいて、本発明を各種変更及び修正を行うことができ、これらの変更及び修正も本発明の範囲内にある。
【産業上の利用可能性】
【００３６】
本考案は、ワイヤを強固に固定して、ワイヤの浮きや外れを防止して、ファンの信頼性を向上できるファン及び電気機械設備を提供する。
【符号の説明】
【００３７】
１：ファン
１１：羽根車
１２：モータ
１３：モータ支持部
１５：ワイヤ引出部
１６：基台部
１７：ワイヤ保持部
１７１：第一ワイヤ保持部
１７１ｂ、１７３ｂ：突起部
１７２：第二保持部
１７３：第三保持部
１７３１、１８２３、１７１ａ、１７２ａ、１７３ａ：端部
１８：ワイヤロック部
１８１：ストッパー部
１８２：延伸部
１８２１：上端
１８２２：下端
１８２ｓ：側
Ｃ：中心軸
Ｄ：延伸方向
ｄ１：隙間
Ｆ：スロット
Ｌ：引出方向
Ｓ：方向
Ｘ：第一方向
ｘ１、ｘ２：厚さ
Ｙ：第二方向
ｙ１：第一距離
ｙ２：第二距離
ｙ３、  ｙ４、ｙａ１、ｙａ２、ｙａ３：距離
【図１】
2020084983.tif 000003
【図２】
2020084983.tif 000004
【図３】
2020084983.tif 000005
【図４】
2020084983.tif 000006
【図５】
2020084983.tif 000007
【図６】
2020084983.tif 000008